【手続補正書】
【提出日】平成20年6月10日(2008.6.10)
【手続補正１】
【補正対象書類名】明細書
【補正対象項目名】特許請求の範囲
【補正方法】変更
【補正の内容】
【特許請求の範囲】
【請求項１】
複数の識別情報を可変表示可能な可変表示装置と、該可変表示装置の表示制御を行う表示制御手段とを備え、
所定条件の成立に基づき前記可変表示装置で識別情報を可変表示した後に可変表示を停止して複数の識別情報を停止表示する表示遊技を実行し、
該表示遊技の実行結果の表示態様が予め定めた識別情報の組み合わせである特定表示態様になった場合に、遊技者にとって有利な所定の遊技価値を付与可能な特別遊技状態に制御する特別遊技状態制御手段を有する遊技機において、
遊技者にとって不利な第１状態と遊技者にとって有利な第２状態とに、それぞれ個別に変位可能な第１大入賞口装置と第２大入賞口装置とを有し、
前記表示制御手段は、
前記表示遊技の実行過程で、前記特定表示態様になる可能性を有する表示態様であるリーチ態様を前記可変表示装置に表示可能であり、
前記特別遊技状態制御手段は、
前記表示遊技の実行過程で、前記リーチ態様のうち所定のリーチ態様が前記可変表示装置に表示されたことを少なくとも条件に、前記第１大入賞口装置および前記第２大入賞口装置のうち少なくとも何れか一方を、前記第１状態と前記第２状態とに変位制御することを特徴とする遊技機。
【請求項２】
前記第１大入賞口装置および前記第２大入賞口装置は、前記可変表示装置をそれぞれの間の略中央に位置させるように配置されることを特徴とする請求項１記載の遊技機。
【請求項３】
所定の遊技状態の終了後に、前記表示遊技において前記特定表示態様の出現確率を低確率から高確率に変更する確率変更手段を有し、
前記確率変更手段により前記特定表示態様の出現確率が高確率に設定されて、該特定表示態様が出現した場合に、前記特別遊技状態制御手段は、前記第１大入賞口装置および前記第２大入賞口装置のうち遊技者にとって入賞しやすい位置に配置された一方を優先して、前記第１状態と前記第２状態とに変位制御することを特徴とする請求項１または２記載の遊技機。
【手続補正２】
【補正対象書類名】明細書
【補正対象項目名】０００７
【補正方法】変更
【補正の内容】
【０００７】
【課題を解決するための手段】
前述した目的を達成するための本発明の要旨とするところは、次の各項の発明に存する。  
［１］複数の識別情報を可変表示可能な可変表示装置（３１０）と、該可変表示装置（３１０）の表示制御を行う表示制御手段（１００，３００）とを備え、
所定条件の成立に基づき前記可変表示装置（３１０）で識別情報を可変表示した後に可変表示を停止して複数の識別情報を停止表示する表示遊技を実行し、
該表示遊技の実行結果の表示態様が予め定めた識別情報の組み合わせである特定表示態様になった場合に、遊技者にとって有利な所定の遊技価値を付与可能な特別遊技状態に制御する特別遊技状態制御手段（１００）を有する遊技機において、
遊技者にとって不利な第１状態と遊技者にとって有利な第２状態とに、それぞれ個別に変位可能な第１大入賞口装置（２４Ａ）と第２大入賞口装置（２４Ｂ）とを有し、
前記表示制御手段（１００，３００）は、
前記表示遊技の実行過程で、前記特定表示態様になる可能性を有する表示態様であるリーチ態様を前記可変表示装置（３１０）に表示可能であり、
前記特別遊技状態制御手段（１００）は、
前記表示遊技の実行過程で、前記リーチ態様のうち所定のリーチ態様が前記可変表示装置に表示されたことを少なくとも条件に、前記第１大入賞口装置（２４Ａ）および前記第２大入賞口装置（２４Ｂ）のうち少なくとも何れか一方を、前記第１状態と前記第２状態とに変位制御することを特徴とする遊技機。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
［２］前記第１大入賞口装置（２４Ａ）および前記第２大入賞口装置（２４Ｂ）は、前記可変表示装置（３１０）をそれぞれの間の略中央に位置させるように配置されることを特徴とする［１］記載の遊技機。
【手続補正９】
【補正対象書類名】明細書
【補正対象項目名】００１４
【補正方法】変更
【補正の内容】
【００１４】
［３］所定の遊技状態の終了後に、前記表示遊技において前記特定表示態様の出現確率を低確率から高確率に変更する確率変更手段（１００）を有し、
前記確率変更手段（１００）により前記特定表示態様の出現確率が高確率に設定されて、該特定表示態様が出現した場合に、前記特別遊技状態制御手段（１００）は、前記第１大入賞口装置（２４Ａ）および前記第２大入賞口装置（２４Ｂ）のうち遊技者にとって入賞しやすい位置に配置された一方を優先して、前記第１状態と前記第２状態とに変位制御することを特徴とする［１］または［２］記載の遊技機。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】変更
【補正の内容】
【００２８】
さらにまた、表示制御手段（１００，３００）は、前記表示遊技の実行過程で前記特定表示態様になる可能性を有する表示態様であるリーチ態様を表示可能である。
【手続補正１９】
【補正対象書類名】明細書
【補正対象項目名】００２９
【補正方法】変更
【補正の内容】
【００２９】
ここで前記特別遊技状態制御手段（１００）は、前記表示遊技の実行過程で、前記リーチ態様のうち所定のリーチ態様が前記可変表示装置（３１０）に表示されたことを少なくとも条件に、第１大入賞口装置（２４Ａ）および第２大入賞口装置（２４Ｂ）のうち少なくとも何れか一方を、第１状態と第２状態とに変位制御する。
【手続補正２０】
【補正対象書類名】明細書
【補正対象項目名】００３０
【補正方法】変更
【補正の内容】
【００３０】
それにより、第１大入賞口装置（２４Ａ）や第２大入賞口装置（２４Ｂ）を変位制御して所定の遊技価値を付与するのは、必ずしも特定表示態様に基づく特別遊技状態の場合だけではなく、表示遊技の実行過程で、前記リーチ態様のうち所定のリーチ態様が前記可変表示装置（３１０）に表示された場合には、これだけを条件として、その後の特定表示態様の確定の有無を問わず、所定の遊技価値を付与することもできる。
【手続補正２１】
【補正対象書類名】明細書
【補正対象項目名】００３１
【補正方法】削除
【補正の内容】
【手続補正２２】
【補正対象書類名】明細書
【補正対象項目名】０１７７
【補正方法】変更
【補正の内容】
【０１７７】
【発明の効果】
本発明に係る遊技機によれば、遊技者にとって不利な第１状態と遊技者にとって有利な第２状態とに、それぞれ個別に変位可能な第１大入賞口装置と第２大入賞口装置とを有しており、表示制御手段は、表示遊技の実行過程で、特定表示態様になる可能性を有する表示態様であるリーチ態様を前記可変表示装置に表示可能であり、特別遊技状態制御手段は、表示遊技の実行過程で、前記リーチ態様のうち所定のリーチ態様が前記可変表示装置に表示されたことを少なくとも条件に、第１大入賞口装置および第２大入賞口装置のうち少なくとも何れか一方を、第１状態と第２状態とに変位制御するから、各大入賞口装置を様々な組み合わせの形態で変位制御することが可能となり、表示遊技の実行過程で、リーチ態様のうち所定のリーチ態様が表示された場合には、これだけを条件として、その後の特定表示態様の確定の有無を問わず、所定の遊技価値を付与することもできる。
また、各大入賞口装置の相対的な配置を工夫することにより、特別遊技状態を多彩に演出することを可能とし、遊技全体における興趣を高めることができる。
【手続補正２３】
【補正対象書類名】明細書
【補正対象項目名】０１７８
【補正方法】削除
【補正の内容】